(57)【要約】【課題】フィルタ本体の選択の自由性を高くする。【解決手段】フィルタ本体２を嵌め入れ自在なフィルタ支持枠部１を設け、フィルタ支持枠部１内に嵌め入れたフィルタ本体２の外れ止めを図る外れ止め機構３を、フィルタ支持枠部１に設けてあるフィルタ支持装置において、外れ止め機構３を構成するに、フィルタ本体２の外れ方向側に当接して外れ止めを図る外れ止め部材６を設け、外れ止め部材６を、フィルタ支持枠１の任意の位置に固定自在な固定手段７を設けてある。【選択図】        図１
2004225963.tif 000002
【特許請求の範囲】
【請求項１】
フィルタ本体を嵌め入れ自在なフィルタ支持枠部を設け、前記フィルタ支持枠部内に嵌め入れたフィルタ本体の外れ止めを図る外れ止め機構を、前記フィルタ支持枠部に設けてあるフィルタ支持装置であって、
前記外れ止め機構を構成するに、前記フィルタ本体の外れ方向側に当接して外れ止めを図る外れ止め部材を設け、前記外れ止め部材を、前記フィルタ支持枠の任意の位置に固定自在な固定手段を設けてあるフィルタ支持装置。
【請求項２】
前記固定手段は、前記フィルタ支持枠部と前記外れ止め部材とを磁力によって固定自在な磁石とその磁石によって吸着自在な被吸着部とを設けて構成してある請求項１に記載のフィルタ支持装置。
【請求項３】
前記固定手段は、互いを噛み合わせることによって係止自在なフック群係止部とパイル群係止部とからなる係止テープを、前記外れ止め部材とフィルタ支持枠との対向部に各別に設けて構成してある請求項１に記載のフィルタ支持装置。
【発明の詳細な説明】
【０００１】
【発明の属する技術分野】
本発明は、フィルタ本体を嵌め入れ自在なフィルタ支持枠部を設け、前記フィルタ支持枠部内に嵌め入れたフィルタ本体の外れ止めを図る外れ止め機構を、前記フィルタ支持枠部に設けてあるフィルタ支持装置に関する。
【０００２】
【従来の技術】
従来、この種のフィルタ支持装置としては、空調用フィルタに採用されている例を挙げて説明すると、図９に示すように、筒内空部が対象空気の流路Ｒとなり、流動方向に軸芯を向けて設置される矩形筒形状のフィルタ支持枠部１を設け、フィルタ支持枠部１の筒開口の内、流路下手側開口１ａの縁部は、内側に屈曲形成されたフィルタ止め部５を形成してあるものがある。
このフィルタ止め部５は、流路上手側開口１ｂからフィルタ支持枠部１に嵌入させたフィルタ本体２が、前記フィルタ止め部５に当接することで位置保持するように構成してある。そして、流路上手側開口１ｂには、前記フィルタ支持枠部１内に収容したフィルタ本体２が、流路上手側へ外れ出るのを防止する為の外れ止め機構２０が設けてある。これは、通常空調運転中においては、空気の流れは、流路の上手側から下手側へ向かっているから、前記フィルタ止め部５のみ設けてあればフィルタ本体２は所定の位置に保持されるわけであるが、例えば、フィルタ本体を上向きに設置してある場合には、空気の流れをストップさせることで流路上手（下方）側へ落下する危険があったり、フィルタ本体の向きとは無関係に空気の流れをストップさせた際の一時的なバックリング（空気の逆流）によってフィルタ本体が流路上手側へ外れる危険があり、この時に、フィルタ本体２の位置保持を図るために、前記外れ止め機構２０が設けてある。
そして、従来においては、この外れ止め機構２０は、図９に示すように、フィルタ支持枠部１の流路径方向に対向する内周部に、外れ止め棒２１の両端部を各別に挿入自在な貫通孔２２を設け、その貫通孔２２に端部を各別に挿入させた状態で、フィルタ支持枠部１内のフィルタ本体２の上手側に接当して外れ止めを図る針金製の外れ止め棒２１を設けてあった。
【０００３】
尚、この様な従来技術に関しては、先行技術調査を行うまでもなく、当業者の間で広く知られているものであることから、先行技術文献は示していない。
【０００４】
【発明が解決しようとする課題】
上述した従来のフィルタ支持装置によれば、外れ止め機構をセットするには、図１０に示すように、前記流路上手側開口１ｂからフィルタ支持枠部１内にフィルタ本体２を入れて、フィルタ止め部５にフィルタ本体２の縁部が当接する奥まで嵌入させ、その後、外れ止め棒２１を撓ませながら端部を前記貫通孔２２に挿通させて撓みを元に戻すことで実施することができる。従って、前記フィルタ本体２の厚み寸法（流路方向の寸法）ｄは、前記フィルタ止め部５と外れ止め機構２０との間隔寸法Ｄにほぼ等しい設定になっている。前記厚み寸法ｄが、前記間隔寸法Ｄより大きいと、前記貫通孔２２がフィルタ本体２で塞がって、前記外れ止め棒２１を設置できないこととなるし、前記厚み寸法ｄが、前記間隔寸法Ｄより小さいと、前記バックリングが発生した際に、フィルタ本体２も上手側に引き戻され、ガタツキの原因となる。即ち、従来のフィルタ支持装置によれば、設置するフィルタ本体は、所定の厚み寸法に形成されたものである必要があり、例えば、薄型のものや、厚型のものを使用する自由性がないという問題点があった。通常、フィルタ支持装置におけるフィルタ支持枠部は、長期にわたって使用されるが、フィルタ本体は、目詰まりによる性能劣化を防止する観点から、メンテナンスによって頻繁に新しいものに取り替えて使用される。そして、フィルタ本体は、その時々に応じて、又、メーカに応じて、厚み寸法が異なることがあり、そう言ったものを、従来のフィルタ支持装置によれば使用することが出来なかった。
【０００５】
従って、本発明の目的は、上記問題点を解消し、フィルタ本体の選択の自由性が高いフィルタ支持装置を提供するところにある。
【０００６】
【課題を解決するための手段】
請求項１の発明の特徴構成は、フィルタ本体を嵌め入れ自在なフィルタ支持枠部を設け、前記フィルタ支持枠部内に嵌め入れたフィルタ本体の外れ止めを図る外れ止め機構を、前記フィルタ支持枠部に設けてあるフィルタ支持装置において、前記外れ止め機構を構成するに、前記フィルタ本体の外れ方向側に当接して外れ止めを図る外れ止め部材を設け、前記外れ止め部材を、前記フィルタ支持枠の任意の位置に固定自在な固定手段を設けてあるところにある。
【０００７】
請求項１の発明の特徴構成によれば、前記固定手段を設けてあるから、前記外れ止め部材を、前記フィルタ支持枠の任意の位置に固定することができるようになる。即ち、設置対象とするフィルタ本体の厚み寸法が、その都度、異なっていたとしても、それぞれの厚み寸法に応じて、前記外れ止め部材をフィルタ本体の外れ方向側に当接して外れ止めを図る状態に設置することが可能となる。その結果、各種厚み寸法のフィルタ本体を設置対象として選択することが出来るようになり、フィルタ本体の選択自由性を向上させることが可能となる。
【０００８】
請求項２の発明の特徴構成は、前記固定手段は、前記フィルタ支持枠部と前記外れ止め部材とを磁力によって固定自在な磁石とその磁石によって吸着自在な被吸着部とを設けて構成してあるところにある。
【０００９】
請求項２の発明の特徴構成によれば、請求項１の発明による作用効果を叶えることができるのに加えて、磁力の吸着力を利用して、フィルタ支持枠部と外れ止め部材との固定を行えるから、従来のように、フィルタ支持枠部に穴を開けたりする特別な細工を施した外れ止め機構を設けなくても、フィルタ本体を支持枠部に固定することが可能となる。従って、フィルタ支持枠部が金属製である場合においても、従来なら穴明け加工部分から酸化が進み、腐食の原因になるといったことが予測されるが、本発明の特徴構成によれば、その心配も防止し易い。また、繰り返し使用しても、外れ止め機構そのものは摩耗し難く、耐久性の向上を叶えることが可能となる。
そして、フィルタ支持枠部への外れ止め部材の着脱操作は、所定位置に外れ止め部材を位置させるだけで、あとは、磁力による吸着力の作用で取り付けることができ、取扱性が向上する。
また、従来のように、フィルタ本体の中央部分に、外れ止め棒が位置して、流路の障害となるのを防止でき、フィルタ本体の外周縁部に位置して目立たない状態に固定手段を構成することが可能となる。
【００１０】
請求項３の発明の特徴構成は、前記固定手段は、互いを噛み合わせることによって係止自在なフック群係止部とパイル群係止部とからなる係止テープを、前記外れ止め部材とフィルタ支持枠との対向部に各別に設けて構成してあるところにある。
【００１１】
請求項３の発明の特徴構成によれば、請求項１の発明による作用効果を叶えることができるのに加えて、フック群係止部とパイル群係止部とを噛み合わせるだけの簡単な操作によって、互いを係止させることができ、フック群係止部とパイル群係止部との何れか一方を設けたフィルタ支持枠に対する、フック群係止部とパイル群係止部との何れか他方を設けた外れ止め部材の着脱操作を、非常に簡単に実施することが可能となる。
また、従来のように、フィルタ支持枠部に穴を開けたりする特別な細工を施した外れ止め機構を設けなくても、フィルタ本体を支持枠部に固定することが可能となる。従って、フィルタ支持枠部が金属製である場合においても、従来なら穴明け加工部分から酸化が進み、腐食の原因になるといったことが予測されるが、本発明の特徴構成によれば、その心配も防止し易い。
また、従来のように、フィルタ本体の中央部分に、外れ止め棒が位置して、流路の障害となるのを防止でき、フィルタ本体の外周縁部に位置して目立たない状態に固定手段を構成することが可能となる。
【００１２】
【発明の実施の形態】
以下に本発明の実施の形態を図面に基づいて説明する。尚、図面において従来例と同一の符号で表示した部分は、同一又は相当の部分を示している。
【００１３】
図１〜３は、本発明のフィルタ支持装置Ｆの一実施形態である空調用フィルタ支持装置（以後、単に支持装置と言う）Ｆ１を示すものである。
前記支持装置Ｆ１は、図には示さないが、例えば、ダクトの流路内に位置させて、流路を流れる空気の清浄化を図る等の用途に用いることができる。
前記支持装置Ｆ１は、フィルタ本体２を嵌め入れ自在なフレーム（フィルタ支持枠部に相当）１を設け、前記フレーム１内に嵌め入れたフィルタ本体２の外れ止めを図る外れ止め機構３を、フレーム１に設けて構成してある。
【００１４】
前記フィルタ本体２は、図３、図４に示すように、シート状の濾材２ａを屏風状に折り曲げて矩形板形状に成形して構成してある。
具体的には、前記盧材２ａは、合成樹脂の不織布で構成してあり、フィルタとしての適切な隙間が無数に備えさせてある。そして、ジグザグ状に屈曲させた盧材２ａの隣接するジグザグの山どうし、及び、谷どうしの間には、所定の間隔が保持できるように、櫛形状のスペーサ部材２ｂが挿入固定してある。
また、フィルタ本体２の外周部の対向する二辺には、各別に帯状の紐状体４を取り付けてあり、前記フレーム１からフィルタ本体２を抜き取る際に、この紐状体４をもって行えるように構成してある（図１参照）。
【００１５】
前記フレーム１は、左右一対の側壁部１Ａ，１Ｂ、及び、天井部１Ｃ、床部１Ｄからなる金属製の矩形筒体で構成されている。このフレーム１の筒内空部が、前記フィルタ本体２の収容部であり、空調用対象空気の流路Ｒとなる。
前記フレーム１の筒開口の内、流路下手側開口１ａの縁部は、内側に屈曲形成されたフィルタ止め部５を形成してある。このフィルタ止め部５は、筒内周部の全周にわたって形成してある。従って、流路上手側開口１ｂからフレーム１内にフィルタ本体２を入れて奥まで嵌入させると、フィルタ止め部５にフィルタ本体２の外周縁部が当接して所定の位置にセットされた状態となる（図３参照）。
【００１６】
前記外れ止め機構３は、前記フィルタ本体２の外れ方向側の面に当接して外れ止めを図る外れ止め部材６を設け、前記外れ止め部材６を、前記フレーム１の任意の位置に固定自在な固定手段７を設けて構成してある。
【００１７】
前記外れ止め部材６は、図４に示すように、断面形状「Ｌ」字形状の金属部材で構成してある。そして、「Ｌ」字の二辺の内の一辺の外面６ａが、前記フレーム１の内周面に当接自在で、「Ｌ」字の二辺の内の他辺の外面６ｂが、前記フィルタ本体２の端縁部に当接自在に形成してある。そして、前記一辺の外面６ａには、板状の磁石８が接着してある。
従って、図に示すように、フレーム１の内周面に対して、前記磁石８の磁力によって外れ止め部材６を固定することができる。しかも、固定位置は、任意に設定することができる。即ち、フレーム１内空部にフィルタ本体２をセットした状態で、そのフィルタ本体２の端縁部に、前記他辺の外面６ｂが当接するようにして前記磁石８でフレーム１の内周面に前記外れ止め部材６を固定することで、フィルタ本体２の外れ止めを図ることができる。これは、フレーム１が磁力によって吸着自在な金属で構成されているからであり、前記磁石８が吸着自在な前記フレーム内周面を被吸着部９という。そして、前記磁石８と前記被吸着部９とで、固定手段７が構成されている（図３参照）。
【００１８】
本実施形態のフィルタ支持装置によれば、フレーム１内周面に対する前記外れ止め部材６の固定位置は、前記磁石８によって任意の位置に変更することができるから、厚み寸法が異なるフィルタ本体２であっても、装置の特別な改造を行わずに確実に支持することが可能となる。また、フィルタ本体２の支持操作そのものも、前記磁石８で固定位置を確定するだけの極めて単純で簡単なものであるから、フィルタ支持作業の効率化を図ることが可能となる。
【００１９】
〔別実施形態〕
以下に他の実施の形態を説明する。
【００２０】
〈１〉  前記固定手段７は、先の実施形態で説明したように外れ止め部材６に接着した磁石８に限るものではなく、例えば、図５に示すように、フィルタ支持枠部１の外周部に磁石８を設けておき、その磁石８の磁力によって、外れ止め部材６を吸着固定できるように構成するものであってもよい。
また、フィルタ支持枠部１が磁力によって吸着できない材料（例えば、ステンレスや、合成樹脂等）で構成されている場合には、図６、図７に示すように、予め、フィルタ支持枠部１の内周面に、シート状の磁石８を接着しておき、前記外れ止め部材６に、被吸着部９を設けておくことによって、先の実施形態と同様に外れ止め部材６を固定することができる。この場合、外れ止め部材６そのものを吸着可能な金属で構成することで、被吸着部９とするものの他、外れ止め部材６の被吸着面にシート状の磁石８Ａを接着しておくことで、その磁石８Ａで被吸着部９を構成するものであってもよい（図７参照）。
また、固定手段７は、磁力を利用するものに替えて、図８に示すように、互いを噛み合わせることによって係止自在なフック群係止部１０Ａと、パイル群係止部１０Ｂとからなる係止テープ１０によって構成するものであってもよい。具体的には、図に示すように、互いに向かい合う外れ止め部材６の一辺の外面６ａと、フィルタ支持枠部１の内周面とに、各別に、前記フック群係止部１０Ａとパイル群係止部１０Ｂとを接着しておき、これらを合わせることによって、パイル群係止部１０Ｂのパイル部Ｐに、前記フック群係止部１０Ａのフック部Ｆが係止し、互いを固定することができるものである。
〈２〉  前記フィルタ本体は、先の実施形態で説明したものに限るものではなく、広く公知になっているフィルタを支持対象として扱うことができる。
【００２１】
尚、上述のように、図面との対照を便利にするために符号を記したが、該記入により本発明は添付図面の構成に限定されるものではない。
【図面の簡単な説明】
【図１】フィルタ支持装置を示す分解斜視図
【図２】フィルタ支持装置を示す斜視図
【図３】フィルタ支持装置の上面視断面図
【図４】外れ止め部材を示す斜視図
【図５】別実施形態の外れ止め部材の取付状況を示す平面視要部断面図
【図６】別実施形態の外れ止め部材の取付状況を示す平面視要部断面図
【図７】別実施形態の外れ止め部材の取付状況を示す平面視要部断面図
【図８】別実施形態の外れ止め部材の取付状況を示す平面視要部断面図
【図９】従来のフィルタ支持装置を示す上面視断面図
【図１０】従来のフィルタ支持装置を示す上面視断面図
【符号の説明】
１      フィルタ支持枠部
２      フィルタ本体
３      外れ止め機構
６      外れ止め部材
７      固定手段
８      磁石
９      被吸着部
１０    係止テープ
１０Ａ  フック群係止部
１０Ｂ  パイル群係止部
【図１】
2004225963.tif 000003
【図２】
2004225963.tif 000004
【図３】
2004225963.tif 000005
【図４】
2004225963.tif 000006
【図５】
2004225963.tif 000007
【図６】
2004225963.tif 000008
【図７】
2004225963.tif 000009
【図８】
2004225963.tif 000010
【図９】
2004225963.tif 000011
【図１０】
2004225963.tif 000012